(57)【特許請求の範囲】
【請求項１】
コンテンツを保有した第１の車載機と第２の車載機とが中継手段を介して通信可能に接続されるシステムにおいて、
前記第２の車載機から所定の識別情報を前記第１の車載機に転送するステップと、
前記第１の車載機において前記所定の識別情報を用いて、保有されているコンテンツを復号化するためのコンテンツ復号化鍵を暗号化するステップと、
前記暗号化したコンテンツ復号化鍵を前記中継手段に転送するステップと、
前記第１の車載機においてライセンス情報を前記所定の識別情報で暗号化するステップと、
前記コンテンツ復号化鍵を消去するステップと、
前記コンテンツ復号化鍵を消去した情報を含む前記暗号化されたライセンス情報を前記中継手段に転送するステップと、
前記中継手段が前記暗号化されたコンテンツ復号化鍵と前記暗号化されたライセンス情報を前記第２の車載機に転送するステップと、
前記第２の車載機において前記暗号化されたライセンス情報を復号化するステップと、
前記復号化したライセンス情報に基づいて前記コンテンツ復号化鍵が消去されているか否かを判定するステップと、
前記第１の車載機において前記コンテンツ復号化鍵が消去されているときに、前記第２の車載機において前記暗号化されたコンテンツ復号化鍵を復号化するステップとを含むことを特徴とするコンテンツ転送方法。
【請求項２】
前記所定の識別情報は、前記第２の車載機において作成した公開鍵、前記第２の車載機の識別番号又は予め用意した前記第１及び第２の車載機が共有する識別番号のいずれかを指示する情報であることを特徴とする請求項１に記載のコンテンツ転送方法。
【請求項３】
前記中継手段は、パーソナルコンピュータ又はブリッジメディアであることを特徴とする請求項１又は２に記載のコンテンツ転送方法。
【請求項４】
コンテンツを保有した第１の車載機と第２の車載機とが中継手段を介して通信可能に接続されるシステムにおいて、
前記第２の車載機から所定の識別情報を前記第１の車載機に転送するステップと、
前記第１の車載機において前記所定の識別情報を用いて、保有されているコンテンツを復号化するためのコンテンツ復号化鍵を暗号化するステップと、
前記暗号化したコンテンツ復号化鍵を前記第２の車載機に転送するステップと、
前記暗号化したコンテンツ復号化鍵を受信した後、前記第２の車載機が前記暗号化したコンテンツ復号化鍵を受信したことを確認する受信確認信号を前記中継手段に送信するステップと、
前記受信確認信号を受信した後、前記中継手段が前記第１の車載機にコンテンツ復号化鍵の消去を指示するステップと、
前記第１の車載機がコンテンツ復号化鍵の消去の指示を受けた後、コンテンツ復号化鍵を消去して、消去完了を前記中継手段に通知するステップと、
前記中継手段が前記消去完了の通知を受けた後、前記第２の車載機に前記暗号化したコンテンツ復号化鍵の復号化を指示するステップと、
前記暗号化したコンテンツ復号化鍵の復号化の指示を受けた後、前記第２の車載機において前記暗号化されたコンテンツ復号化鍵を復号化するステップとを含むことを特徴とするコンテンツ転送方法。
【請求項５】
前記中継手段は、パーソナルコンピュータ又はブリッジメディアであることを特徴とする請求項４に記載のコンテンツ転送方法。
【請求項６】
コンテンツを保有した第１の車載機と、第２の車載機と、該第１及び第２の車載機間を通信可能に中継する中継手段とを具備し、
前記第１の車載機は、
前記コンテンツを暗号化したコンテンツを復号化するためのコンテンツ復号化鍵を前記第２の車載機から受信した所定の識別情報を用いて暗号化する暗号化鍵作成手段と、
コンテンツ記録媒体からリッピングしたコンテンツを暗号化するコンテンツ暗号化手段と、
前記中継手段からの指示に基づいてコンテンツ復号化鍵を暗号化させ、該暗号化したコンテンツ復号化鍵を前記中継手段へ転送する制御手段とを有し、
前記第２の車載機は、
所定の識別情報を生成もしくは取得する識別情報取得手段と、
前記暗号化されたコンテンツ復号化鍵を復号化する鍵復号化手段と、
前記暗号化されたコンテンツを保存する記憶手段と、
前記中継手段から前記暗号化されたコンテンツ復号化鍵を受信し、該コンテンツ復号化鍵を復号化させ、該復号化されたコンテンツ復号化鍵を用いて、前記暗号化されたコンテンツを復号化させる制御手段とを有することを特徴とするコンテンツ転送システム。
【請求項７】
前記所定の識別情報は、前記第２の車載機において作成する公開鍵、前記第２の車載機の識別番号又は予め用意した前記第１及び第２の車載機が共有する識別番号のいずれかを指示する情報であることを特徴とする請求項６に記載のコンテンツ転送システム。
【請求項８】
前記中継手段は、パーソナルコンピュータ又はブリッジメディアであることを特徴とする請求項６又は７に記載のコンテンツ転送システム。
【請求項９】
コンテンツを保有した第１の車載機と第２の車載機とが通信可能に接続されるシステムにおいて、
前記第２の車載機から所定の識別情報を前記第１の車載機に転送するステップと、
前記第１の車載機において前記所定の識別情報を用いて、保有されているコンテンツを復号化するためのコンテンツ復号化鍵を暗号化するステップと、
前記暗号化したコンテンツ復号化鍵を前記第２の車載機に転送するステップと、
前記第１の車載機においてライセンス情報を前記所定の識別情報で暗号化するステップと、
前記コンテンツ復号化鍵を消去するステップと、
前記コンテンツ復号化鍵を消去した情報を含む前記暗号化されたライセンス情報を前記第２の車載機に転送するステップと、
前記第２の車載機において前記暗号化されたライセンス情報を復号化するステップと、
前記復号化したライセンス情報に基づいて前記コンテンツ復号化鍵が消去されているか否かを判定するステップと、
前記第１の車載機において前記コンテンツ復号化鍵が消去されているときに、前記第２の車載機において前記暗号化されたコンテンツ復号化鍵を復号化するステップとを含むことを特徴とするコンテンツ転送方法。
【請求項１０】
前記所定の識別情報は、前記第２の車載機において作成した公開鍵、前記第２の車載機の識別番号又は予め用意した前記第１及び第２の車載機が共有する識別番号のいずれかを指示する情報であることを特徴とする請求項９に記載のコンテンツ転送方法。
【請求項１１】
コンテンツを保有した第１の車載機と、該第１の車載機と通信可能な第２の車載機とを具備し、
前記第１の車載機は、
前記コンテンツを暗号化したコンテンツを復号化するためのコンテンツ復号化鍵を前記第２の車載機から受信した所定の識別情報を用いて暗号化する暗号化鍵作成手段と、
コンテンツ記録媒体からリッピングしたコンテンツを暗号化するコンテンツ暗号化手段と、
前記第２の車載機からの指示に基づいてコンテンツ復号化鍵を暗号化させ、該暗号化したコンテンツ復号化鍵を前記第２の車載機へ転送する制御手段とを有し、
前記第２の車載機は、
所定の識別情報を生成もしくは取得する識別情報取得手段と、
前記暗号化されたコンテンツ復号化鍵を復号化する鍵復号化手段と、
前記暗号化されたコンテンツを保存する記憶手段と、
前記第１の車載機から前記暗号化されたコンテンツ復号化鍵を受信し、該コンテンツ復号化鍵を復号化させ、該復号化されたコンテンツ復号化鍵を用いて、前記暗号化されたコンテンツを復号化させる制御手段とを有することを特徴とするコンテンツ転送システム。
【請求項１２】
前記所定の識別情報は、前記第２の車載機において作成する公開鍵、前記第２の車載機の識別番号又は予め用意した前記第１及び第２の車載機が共有する識別番号のいずれかを指示する情報であることを特徴とする請求項１１に記載のコンテンツ転送システム。
【発明の詳細な説明】
【技術分野】
【０００１】
本発明は、リッピングして保存したコンテンツを転送するコンテンツ転送方法及びコンテンツ転送システムに関し、特に、車載機用メモリに保存したコンテンツを転送するコンテンツ転送方法及びコンテンツ転送システムに関する。
【背景技術】
【０００２】
近年、音楽を記録したＣＤ(Compact Disc)やＤＶＤ(Digital Versatile Disc)等のプレーヤーを車両に搭載し、運転中にＣＤ等を再生して音楽等を楽しむことが一般化している。
【０００３】
また、既存の音楽ＣＤを再生するだけでなく、音楽ＣＤの内容（コンテンツ）のうち、自分の好みの曲や好みのアーティストの曲を集めて、メモリ（例えばハードディスク）に保存し、ハードディスクから音楽を検索して再生することも行われている。
【０００４】
このような音楽再生用のＣＤのコンテンツをハードディスク装置等の高速検索が可能な他の情報記録媒体に複写記録する方法として、音楽ＣＤのコンテンツをリッピングする方法がある。リッピングとは、音楽ＣＤに記録されているデジタル形式のデータを抽出し、ＰＣ(Personal Computer)で処理できるようなファイル形式に変換して保存することである。
【０００５】
上記のようなオフラインによる情報の他に、インターネットを利用してデジタル化された音楽データ等を購入する機会も増えてきている。
【０００６】
例えば、特許文献１には、インターネットを利用しサンプルとして音質が不自然な音楽データを取得した後、その音楽データを購入した者が受け取るコンテンツ鍵を用いて、音楽データを高品質にして再生する方法が開示されている。このようにして取得した音楽データもリッピングして車載機のメモリに保存することも考えられる。
【特許文献１】特開２０００−３３９８５２号公報
【発明の開示】
【発明が解決しようとする課題】
【０００７】
上記したように、音楽ＣＤのコンテンツをリッピングしてハードディスク等に保存することが行われているが、このような音楽ＣＤの一世代の複製（コピー）は、法律的に特に問題はない。
【０００８】
しかし、リッピングして車載機のメモリに保存した音楽ＣＤのコンテンツを、さらに別の車載機のメモリにコピーすることは基本的に禁止されている。すなわち、デジタル録音機器には、ＳＣＭＳ(Serial Copy Management System)規格によるコピー防止技術が付加されており、デジタル接続によるコピーは一世代のみ可能となっている。また、Windows-ＤＲＭ(Digital Rights Management)等の既存の著作権保護規格では、リッピングしたコンテンツを取り扱うことができず、このようなコンテンツの著作権を保護することができない。
【０００９】
したがって、リッピングにより車載機のメモリに保存した音楽ＣＤなどのコンテンツは、別の車載機で利用することはできなかった。このため、従来は、新たな車載機を購入したときに、必要なデータを改めて音楽ＣＤ等からハードディスクへリッピングせざるを得なかった。この際、旧車載機に保存していた音楽データをすべて保存するためには時間も手間もかかり、ユーザにとって大きな負担となってしまう。
【００１０】
なお、特許文献１では、コンテンツ鍵を取得して音楽データを高品質にしているが、サンプルを取得した時点の低品質の音楽データを他の装置にコピーするものではないため、開示された方法では上記の課題を解決することはできない。
【００１１】
本発明は、かかる従来技術の課題に鑑みなされたものであり、車載機に保有された音楽データ等のコンテンツを適法に別の車載機に転送することができるコンテンツ転送方法及びコンテンツ転送システムを提供することを目的とする。
【課題を解決するための手段】
【００１２】
上述した従来技術の課題を解決するため、本発明の一形態によれば、コンテンツを保有した第１の車載機と第２の車載機とが中継手段を介して通信可能に接続されるシステムにおいて、前記第２の車載機から所定の識別情報を前記第１の車載機に転送するステップと、前記第１の車載機において前記所定の識別情報を用いて、保有されているコンテンツを復号化するためのコンテンツ復号化鍵を暗号化するステップと、前記暗号化したコンテンツ復号化鍵を前記中継手段に転送するステップと、前記第１の車載機においてライセンス情報を前記所定の識別情報で暗号化するステップと、前記コンテンツ復号化鍵を消去するステップと、前記コンテンツ復号化鍵を消去した情報を含む前記暗号化されたライセンス情報を前記中継手段に転送するステップと、前記中継手段が前記暗号化されたコンテンツ復号化鍵と前記暗号化されたライセンス情報を前記第２の車載機に転送するステップと、前記第２の車載機において前記暗号化されたライセンス情報を復号化するステップと、前記復号化したライセンス情報に基づいて前記コンテンツ復号化鍵が消去されているか否かを判定するステップと、前記第１の車載機において前記コンテンツ復号化鍵が消去されているときに、前記第２の車載機において前記暗号化されたコンテンツ復号化鍵を復号化するステップとを含むことを特徴とするコンテンツ転送方法が提供される。
【００１３】
上記形態に係るコンテンツ転送方法において、前記所定の識別情報は、前記第２の車載機において作成した公開鍵、前記第２の車載機の識別番号又は予め用意した前記第１及び第２の車載機が共有する識別番号のいずれかを指示する情報であってもよい。
【００１４】
この形態に係るコンテンツ転送方法においては、新車載機（第２の車載機）側で公開鍵を作成し、この公開鍵を用いてコンテンツを復号化するためのコンテンツ復号化鍵を旧車載機（第１の車載機）で暗号化している。そして、暗号化されたコンテンツ復号化鍵を新車載機に転送し、新車載機でコンテンツ復号化鍵を復号化している。これにより、コンテンツ復号化鍵を用いて暗号化されたコンテンツを復号化することができる。
【００１５】
このようにして、著作権に抵触することなくリッピングして蓄積したデータを新車載機に転送して復元することができ、新たにデータを保存する等の手間を省きユーザの利便性が向上する。
【００１６】
また、上記形態のコンテンツ転送方法においては、前記暗号化したコンテンツ復号化鍵を前記中継手段に転送するステップと、前記第１の車載機においてライセンス情報を前記所定の識別情報で暗号化するステップと、前記コンテンツ復号化鍵を消去するステップと、前記コンテンツ復号化鍵を消去した情報を含む前記暗号化されたライセンス情報を前記中継手段に転送するステップと、前記中継手段が前記暗号化されたコンテンツ復号化鍵と前記暗号化されたライセンス情報を前記第２の車載機に転送するステップと、前記第２の車載機において前記暗号化されたライセンス情報を復号化するステップとを含む。
【００１７】
この形態の情報転送方法では、暗号化されたコンテンツ鍵及び暗号化されたライセンス情報を中継装置に転送している。このライセンス情報には旧車載機でコンテンツ鍵を消去した情報も含まれている。この後、暗号化されたコンテンツ鍵及びライセンス情報を新たな車載機に転送している。
【００１８】
これにより、新車載機側でコンテンツ鍵を復号化してよいか否かの判定を行うことができる。また、中継装置がコンテンツ鍵を復号化してよいか否か等の判断をする必要がないため、中継装置としてフラッシュメモリ、リムーバブルＨＤＤ等のブリッジメディアを使用することができる。
【００１９】
また、本発明の他の形態によれば、上記の形態に係るコンテンツ転送方法を実施するコンテンツ転送システムが提供される。その一形態に係るコンテンツ転送システムは、コンテンツを保有した第１の車載機と、第２の車載機と、該第１及び第２の車載機間を通信可能に中継する中継手段とを具備し、前記第１の車載機は、前記コンテンツを暗号化したコンテンツを復号化するためのコンテンツ復号化鍵を前記第２の車載機から受信した所定の識別情報を用いて暗号化する暗号化鍵作成手段と、コンテンツ記録媒体からリッピングしたコンテンツを暗号化するコンテンツ暗号化手段と、前記中継手段からの指示に基づいてコンテンツ復号化鍵を暗号化させ、該暗号化したコンテンツ復号化鍵を前記中継手段へ転送する制御手段とを有し、前記第２の車載機は、所定の識別情報を生成もしくは取得する識別情報取得手段と、前記暗号化されたコンテンツ復号化鍵を復号化する鍵復号化手段と、前記暗号化されたコンテンツを保存する記憶手段と、前記中継手段から前記暗号化されたコンテンツ復号化鍵を受信し、該コンテンツ復号化鍵を復号化させ、該復号化されたコンテンツ復号化鍵を用いて、前記暗号化されたコンテンツを復号化させる制御手段とを有する。
【発明を実施するための最良の形態】
【００２０】
以下、本発明の実施形態について、添付の図面を参照して説明する。
【００２１】
（第１の実施形態）
（コンテンツ転送システムの構成）
図１は本発明の一実施形態に係るコンテンツ転送システム１００の構成を示したものである。
【００２２】
本実施形態に係るコンテンツ転送システム１００は、旧車載機１と、新車載機２と、これら両車載機間で情報を中継する中継装置３とから構成されている。
【００２３】
旧車載機１は、音楽ＣＤ４のコンテンツの一部をリッピングしたデータを暗号化するコンテンツ暗号化部５と、暗号化された音楽ＣＤのコンテンツを保存するＨＤＤ等の記憶部７と、ライセンス情報を記憶するフラッシュメモリ６と、ライセンス情報及びコンテンツ復号化鍵（暗号化されたコンテンツを復号化するための鍵）を暗号化したり、暗号化されたコンテンツを復号化する暗号／復号化部８と、中継装置３と信号の送受信をする入出力部９、及びこれらの各部を制御するマイクロコンピュータにより構成される制御部１０を含んで構成される。
【００２４】
一方、新車載機２は、音楽ＣＤのコンテンツを保存する記憶部１５と、暗号化されたコンテンツ復号化鍵及び暗号化されたコンテンツを復号化する暗号／復号化部１２と、コンテンツ復号化鍵を暗号化するための識別情報を生成又は取得する識別情報取得部１４と、中継装置３と信号の送受信をする入出力部１１、及びこれらの各部を制御するマイクロコンピュータにより構成される制御部１６を含んで構成される。
【００２５】
また、中継装置３は、旧車載機１の入出力部９及び新車載機２の入出力部１１と接続される入出力部１７と、旧車載機１から転送される鍵の情報等を保存する記憶部１９と、情報転送状態を表示する表示部２０及びこれらの各部を制御するマイクロコンピュータにより構成される制御部１８で構成される。
【００２６】
このように構成されたコンテンツ転送システム１００において、音楽ＣＤ４のコンテンツの一部をリッピングしたデータはコンテンツ暗号化部５によって暗号化され、記憶部７に保存される。暗号化されたコンテンツは、通常の方法により旧車載機１の記憶部７から新車載機２の記憶部１５に転送する。コンテンツ復号化鍵は、暗号／復号化部８において暗号化される。この暗号化は、新車載機２の識別情報取得部１４で生成又は取得する情報（例えば公開鍵）を基にしている。この情報は、中継装置３を介して新車載機２から旧車載機１に送信される。暗号／復号化部８で暗号化された鍵は中継装置３を介して新車載機２に転送される。新車載機２の制御部１６は転送された鍵を復号化して良いと判定したときに、暗号化された鍵を復号化する。そして、復号化された鍵を用いて、記憶部１５に保存されている暗号化された音楽ＣＤのコンテンツを復号化する。
【００２７】
このようにして、リッピングした音楽ＣＤのコンテンツを新たな車載機に転送することが可能となる。これにより、ユーザは新たに音楽データをリッピングするという手間を省くことができ、ユーザの利便性を向上させることができる。
【００２８】
（コンテンツ転送方法）
以下、本実施形態に係るコンテンツ転送システム１００が行うコンテンツ転送の方法について、その状態遷移フローの一例を示す図２を参照しながら説明する。
【００２９】
まず、旧車載機１側で、コンテンツを移動するコンテンツ移動モードを起動する。コンテンツ移動モードを起動した旨の信号が中継装置３に転送され、中継装置３から新車載機２に転送される。新車載機２側では、コンテンツを受け入れるコンテンツ受け入れモードを起動する。コンテンツ受け入れモードを起動した旨の信号が中継装置３に転送され、中継装置３の制御部１８で旧車載機１と新車載機２でコンテンツの移動、受け入れが起動されたことを判断し、両車載機の通信経路を確立する。ここで、中継装置３は、例えばＰＣ（パーソナルコンピュータ）が使用される。また、旧車載機１及び新車載機２の双方にＰＣと接続するためのインタフェースを有しているものとする。
【００３０】
次に、新車載機２において、公開鍵を作成する。この公開鍵は、例えば、新車載機２のＩＤを基に作成する。公開鍵を作成した後、それを中継装置３に転送する。公開鍵を受信した中継装置３は、その公開鍵を旧車載機１に転送する。
【００３１】
次に、旧車載機１において、受信した公開鍵を用いてコンテンツを復号化するためのコンテンツ復号化鍵を暗号化する。ここで、コンテンツ復号化鍵は予め旧車載機１で任意の手法により作成されているものとする。
【００３２】
暗号化したコンテンツ復号化鍵を中継装置３に転送する。中継装置３は、転送されたコンテンツ復号化鍵を記憶部１９に保存する。
【００３３】
次に、旧車載機１において、転送された公開鍵を用いて転送の対象としている音楽ＣＤに関するライセンス情報（例えば、コピー禁止フラグ）を暗号化しフラッシュメモリ６に保存した後、コンテンツ復号化鍵を消去する。このライセンス情報には、旧車載機１でコンテンツ復号化鍵を消去した情報を含めている。その後、暗号化したライセンス情報を中継装置３に転送する。
【００３４】
次に、中継装置３は、暗号化されたコンテンツ復号化鍵及び暗号化されたライセンス情報を新車載機２に転送する。新車載機２では、ライセンス情報をフラッシュメモリ１３に保存する。
【００３５】
次に、新車載機２は、ライセンス情報を復号化し、ライセンス情報の有効性を確認する。すなわち、旧車載機１においてコンテンツ復号化鍵が消去されているか否かを判定する。コンテンツ復号化鍵が消去されていれば、リッピングして暗号化した音楽ＣＤのコンテンツを復号化できるのは新車載機２だけということになり、他の車載機で同じコンテンツを再生できてしまうという問題を回避できる。旧車載機１においてコンテンツ復号化鍵が消去されていると判定した後、コンテンツ復号化鍵を復号化して記憶部１５に格納する。
【００３６】
次に、新車載機２は、コンテンツ復号化鍵の取得が完了したことを中継装置３に通知する。通知を受けた中継装置３は、コンテンツ転送が完了したことを表示部２０に表示して処理を終了する。
【００３７】
以上説明したように、本実施形態に係るコンテンツ転送方法においては、暗号化したコンテンツデータを復号化するための鍵を新車載機の情報を基に旧車載機で暗号化し、暗号化した鍵を新車載機に転送している。新車載機では暗号化された鍵を復号化し、この鍵を用いてコンテンツを復号化している。かかる処理を行うことで、リッピングした音楽データを別の車載機に転送することが可能となる。これにより、ユーザは新たに音楽データをリッピングするという手間を省くことができ、ユーザの利便性を向上させることができる。
【００３８】
なお、本実施形態では、中継装置３としてＰＣを用いて説明したが、ＰＣに限らず、車載機にフラッシュメモリ等を接続するポートが用意されていれば、このようなブリッジメディアを用いることも可能である。この場合には、新車載機２がコンテンツ復号化鍵を復号化して記憶部１５に格納した後、ブリッジメディアに保存されている暗号化されたコンテンツ復号化鍵、ライセンス情報及び公開鍵を消去してコンテンツ転送処理を終了する。
【００３９】
（第２の実施形態）
第２の実施形態におけるコンテンツ転送システム１００の構成は、第１の実施形態で説明した構成と同様である。コンテンツ転送の方法については、第１の実施形態では、新車載機２で公開鍵を作成しコンテンツ復号化鍵を公開鍵方式で暗号化していたが、第２の実施形態では、コンテンツ復号化鍵の暗号化・復号化を同じ鍵を用いて行う点で、第１の実施形態とは異なる。
【００４０】
（コンテンツ転送方法）
以下、第２の実施形態に係るコンテンツ転送方法について、図３の状態遷移フロー図を参照しながら説明する。
【００４１】
本実施形態では、旧車載機１及び新車載機２の双方に予め共通のＩＤが付与されているものとする。この共通のＩＤは、例えば、図４に示すように、１６バイト長の任意の数字又は文字の組み合わせである。これらのＩＤ群は、車載機の生産時に付与され、車載機に内蔵されるフラッシュメモリ（６、１３）に１０個程度格納される。
【００４２】
はじめに、旧車載機１と新車載機２とが同社製品か否かの認証を行う。認証は以下のようにして行う。
【００４３】
まず、新車載機２からメモリに格納されたｎ番目のＩＤ情報（ＩＤｎ）を、中継装置３を介して旧車載機１に転送する。ここで、中継装置３は例えば汎用のＰＣでも良いし、情報転送のための専用の装置でも良い。
【００４４】
次に、旧車載機１は受信したＩＤｎが旧車載機１のフラッシュメモリ６にあるか否かを判定し、あればＩＤｎの次のＩＤ情報（ＩＤｎ＋１）を新車載機２に転送する。
【００４５】
次に、新車載機２が受信したＩＤｎ＋１が新車載機２のフラッシュメモリ１３にあるか否かを判定し、あれば旧車載機１と新車載機２の間の認証ができたことになる。
【００４６】
次に、新車載機２はｎ＋２番目のＩＤ情報（ＩＤｎ＋２）を旧車載機１に送信する。
【００４７】
次に、ＩＤｎ＋２を受信した旧車載機１は、コンテンツ復号化鍵をｎ＋３番目のＩＤ情報（ＩＤｎ＋３）を用い任意の手法で暗号化する。ここで、コンテンツ復号化鍵は予め旧車載機１で任意の手法により作成されているものとする。
【００４８】
次に、暗号化したコンテンツ復号化鍵を中継装置３を経由して新車載機２へ転送する。新車載機２が受信確認信号を中継装置３へ送信すると、中継装置３は旧車載機１にコンテンツ復号化鍵を消去する指示の信号を送信する。
【００４９】
旧車載機１がコンテンツ復号化鍵を消去し、消去完了通知を中継装置に送信すると、中継装置３は新車載機２に暗号化されたコンテンツ復号化鍵の復号化を指示する信号を送信する。この後、新車載機２は暗号化されたコンテンツ復号化鍵をＩＤｎ＋３を用いて復号化し、復号化完了通知を中継装置３に送信する。
【００５０】
以上の一連の処理を実行してコンテンツを復号化する鍵の移動が完了し、中継装置３は移動が完了したことを表示部２０に表示する。
【００５１】
その後、コンテンツ復号化鍵を用いて、暗号化されたコンテンツを復号化し、音楽等を聴くことができる。
【００５２】
以上説明したように、本実施形態に係るコンテンツ転送方法においては、暗号化したコンテンツを復号化するための鍵を予め付与するＩＤ群のうちのひとつのＩＤを用いて暗号化し、暗号化した鍵を新車載機２に転送している。かかる処理を行うことで、リッピングした音楽データを新車載機２に転送することが可能となる。これにより、ユーザは新たに音楽データをリッピングするという手間を省くことができ、ユーザの利便性を向上させることができる。
【００５３】
また、本実施形態では、暗号化及び復号化に使用する鍵となるＩＤを予め付与しているので、新車載機２で鍵を改めて生成する必要はない。また、旧車載機１で行う暗号化と新車載機２で行う復号化において同じ鍵を用いているため、暗号化及び復号化の処理時間が短縮されるという利点がある。
【００５４】
（変形例）
上記の第２の実施形態では、旧車載機１及び新車載機２の間の認証を行うために新車載機２から信号送信を開始していた。本変形例では、旧車載機１から信号送信を開始する。また、第２の実施形態では、予めＩＤを用意していたが、本変形例では、ＩＤは車載機に固有のＩＤを使用している。
【００５５】
以下、本変形例のコンテンツ転送方法について、図５の状態遷移フロー図を参照しながら説明する。
【００５６】
はじめに、旧車載機１と新車載機２との間で同社製品か否かの認証を行う。この認証は以下のようにして行う。
【００５７】
まず、旧車載機１から中継装置３を経由して旧車載機１のＩＤ番号を新車載機２へ送信する。新車載機２の制御部１６は、送信されたＩＤ番号が同社のものであるか否かを判定し、同社のものであれば、新車載機２のＩＤ番号を中継装置３を経由して旧車載機１へ送信する。
【００５８】
次に、旧車載機１では、暗号／復号化部８において受信した新車載機２のＩＤ番号を一定のロジックで変換し、変換したＩＤ番号を用いてコンテンツ復号化鍵を暗号化する。
【００５９】
次に、第２の実施形態と同様に、暗号化したコンテンツ復号化鍵を中継装置３を経由して新車載機２に送信し、旧車載機１がコンテンツ復号化鍵を消去した後、中継装置３が新車載機２にコンテンツ復号化鍵を復号化する指示を送信する。
【００６０】
次に、新車載機２では、暗号／復号化部１２において新車載機２のＩＤを一定のロジックで変換する。この一定のロジックは、旧車載機１において新車載機２のＩＤ番号を変換したロジックと同一のロジックを用いる。この変換したＩＤを用いて暗号化されたコンテンツ復号化鍵を復号化する。
【００６１】
以上説明したように、本変形例に係るコンテンツ転送方法においては、暗号化したコンテンツを復号化するための鍵を新車載機２のＩＤを基にして暗号化し、暗号化した鍵を新車載機２に転送している。かかる処理を行うことで、リッピングした音楽データを新車載機２に転送することが可能となる。これにより、ユーザは新たに音楽データをリッピングするという手間を省くことができ、ユーザの利便性を向上させることができる。
【００６２】
また、両車載機間の認証に車載機のＩＤ番号を使用しているため、認証のための信号の送信がそれぞれの車載機から一度だけで済み、上述した第２の実施形態（図３参照）の場合と比べて、認証処理を効率良く行うことができる。
【００６３】
（第３の実施形態）
図６は、本発明の第３の実施形態に係るコンテンツ転送システム２００の構成を示したものである。本実施形態に係るコンテンツ転送システム２００は、旧車載機１と新車載機２で構成され、これら両車載機間で情報を中継する中継装置がない点で、第１及び第２の実施形態に係るコンテンツ転送システム１００と異なる。従って、図６において、図１と同一物には同一符号を付し、その詳しい説明は省略する。
【００６４】
コンテンツ転送システム２００において、音楽ＣＤ４のコンテンツの一部をリッピングしたデータは、コンテンツ暗号化部５によって暗号化され、記憶部７に保存される。暗号化されたコンテンツは、通常の方法により旧車載機１の記憶部７から新車載機２の記憶部１５に転送する。コンテンツ復号化鍵は暗号／復号化部８において暗号化される。この暗号化は、新車載機２の識別情報取得部１４で生成又は取得する情報を基にしている。この情報は、新車載機２から旧車載機１に直接送信される。暗号／復号化部８で暗号化された鍵は、旧車載機１から新車載機２に直接送信される。新車載機２の制御部１６は、転送された鍵を復号化して良いと判定したときに、暗号化された鍵を復号化する。そして、復号化された鍵を用いて記憶部１５に保存されている暗号化された音楽ＣＤのコンテンツを復号化する。
【００６５】
このように、リッピングした音楽ＣＤのコンテンツを新たな車載機に転送することが可能となる。さらに、コンテンツを復号化するためのコンテンツ復号化鍵に関する情報の送受信を旧車載機１と新車載機２との間で直接行っているので、コンテンツ転送処理が中継装置を介する場合に比べて簡素化され、ひいては処理時間を短縮することができる。
【００６６】
（コンテンツ転送方法）
以下、本実施形態に係るコンテンツ転送システム２００が行うコンテンツ転送方法について、その状態遷移フローの例を示す図７を参照しながら説明する。
【００６７】
まず、旧車載機１側でコンテンツを移動するコンテンツ移動モードを起動する。コンテンツ移動モードを起動した旨の信号が入出力部９及び入出力部１１を介して新車載機２に送信される。新車載機２では、コンテンツを受け入れるコンテンツ受け入れモードを起動する。コンテンツ受け入れモードを起動した旨の信号が入出力部１１及び入出力部９を介して旧車載機１に送信され、旧車載機１と新車載機２との間で、通信経路が確立する。
【００６８】
次に、新車載機２において、公開鍵を作成する。この公開鍵は、例えば、新車載機２のＩＤを基に作成する。公開鍵を作成した後、旧車載機１に転送する。
【００６９】
次に、旧車載機１において受信した公開鍵を用いてコンテンツを復号化するためのコンテンツ復号化鍵を暗号化して新車載機２に転送する。
【００７０】
次に、転送された公開鍵を用いて、転送の対象としている音楽ＣＤに関するライセンス情報を暗号化し、コンテンツ復号化鍵を消去した後、暗号化したライセンス情報を新車載機２に転送する。
【００７１】
次に、新車載機２は、ライセンス情報を復号化し、旧車載機１でコンテンツ復号化鍵が消去されていることを確認して、暗号化されたコンテンツ復号化鍵を復号化する。
【００７２】
以上説明したように、本実施形態に係るコンテンツ転送方法においても、第１の実施形態に係るコンテンツ転送方法と同様の効果を得ることができる。
【００７３】
さらに、コンテンツ復号化鍵に関する情報の送受信を旧車載機１と新車載機２との間で直接行っているので、コンテンツ転送処理が中継装置を介する場合に比べて簡素化され、ひいては処理時間を短縮することができる。
【００７４】
（変形例１）
以下、本変形例１に係るコンテンツ転送方法について、図８の状態遷移フロー図を参照しながら説明する。
【００７５】
本変形例では、第２の実施形態において説明したように、旧車載機１及び新車載機２の双方に予め共通のＩＤ（図４参照）が付与されているものとする。
【００７６】
はじめに、旧車載機１と新車載機２とが同社製品か否かの認証を行う。
【００７７】
まず、新車載機２からフラッシュメモリ１３に格納されたｎ番目のＩＤ情報（ＩＤｎ）を旧車載機１に直接送信する。
【００７８】
次に、旧車載機１は、受信したＩＤｎが旧車載機１のフラッシュメモリ６にあるか否かを判定し、あればＩＤｎの次のＩＤ情報（ＩＤｎ＋１）を新車載機２に直接送信する。
【００７９】
次に、新車載機２が受信したＩＤｎ＋１が新車載機２のフラッシュメモリ１３にあるか否かを判定し、あれば旧車載機１と新車載機２との間の認証がされたことになる。
【００８０】
次に、新車載機２は、ｎ＋２番目のＩＤ情報（ＩＤｎ＋２）を旧車載機１に送信する。
【００８１】
次に、旧車載機１は、予め作成したコンテンツ復号化鍵をｎ＋３番目のＩＤ情報（ＩＤｎ＋３）を用いて暗号化する。
【００８２】
次に、暗号化したコンテンツ復号化鍵を新車載機２に直接送信する。新車載機２がコンテンツ復号化鍵を受信すると、旧車載機１にコンテンツ復号化鍵を消去する指示の信号を送信する。
【００８３】
次に、旧車載機１がコンテンツ復号化鍵を消去すると、旧車載機１は新車載機２にコンテンツ復号化鍵の復号化を指示する信号を送信する。
【００８４】
この後、新車載機２は、暗号化されたコンテンツ復号化鍵をＩＤｎ＋３を用いて復号化する。そして、コンテンツ復号化鍵を用いて暗号化されたコンテンツを復号化し、音楽等を聴くことができる。
【００８５】
以上説明したように、本変形例に係るコンテンツ転送方法においても、第２の実施形態に係るコンテンツ転送方法と同様の効果を得ることができる。
【００８６】
さらに、コンテンツ復号化鍵に関する情報の送受信を旧車載機１と新車載機２との間で直接行っているので、コンテンツ転送処理が中継装置を介する場合に比べて簡素化され、ひいては処理時間を短縮することができる。
【００８７】
（変形例２）
以下、本変形例２に係るコンテンツ転送方法について、図９の状態遷移フロー図を参照しながら説明する。
【００８８】
はじめに、旧車載機１と新車載機２との間で、同社製品か否かの認証を行う。
【００８９】
まず、旧車載機１から旧車載機１のＩＤ番号を直接新車載機２へ送信する。新車載機２の制御部１６は送信されたＩＤ番号が同社のものであるか否かを判定し、同社のものであれば新車載機２のＩＤ番号を直接旧車載機１へ送信する。
【００９０】
次に、旧車載機１では、暗号／復号化部８において、受信した新車載機２のＩＤ番号を一定のロジックで変換し、変換したＩＤ番号を用いてコンテンツ復号化鍵を暗号化する。
【００９１】
次に、暗号化したコンテンツ復号化鍵を新車載機２に直接送信する。新車載機２がコンテンツ復号化鍵を受信すると、旧車載機１にコンテンツ復号化鍵を消去する指示の信号を送信する。
【００９２】
次に、旧車載機１がコンテンツ復号化鍵を消去した後、旧車載機１は新車載機２にコンテンツ復号化鍵の復号化を指示する信号を送信する。
【００９３】
この後、新車載機２は、暗号／復号化部１２において、新車載機２のＩＤを一定のロジックで変換し、変換したＩＤを用いて暗号化されたコンテンツ復号化鍵を復号化する。
【００９４】
以上説明したように、本変形例に係るコンテンツ転送方法においても、第２の実施形態の変形例に係るコンテンツ転送方法と同様の効果を得ることができる。
【００９５】
さらに、コンテンツ復号化鍵に関する情報の送受信を旧車載機１と新車載機２との間で直接行っているので、コンテンツ転送処理が中継装置を介する場合に比べて簡素化され、ひいては処理時間を短縮することができる。
【図面の簡単な説明】
【００９６】
【図１】本発明の第１の実施形態に係るコンテンツ転送システムの構成を示すブロック図である。
【図２】第１の実施形態に係るコンテンツ転送処理の一例を示す状態遷移フロー図である。
【図３】第２の実施形態に係るコンテンツ転送処理の一例を示す状態遷移フロー図である。
【図４】共通ＩＤ群の一例を示す図である。
【図５】第２の実施形態の変形例に係るコンテンツ転送処理の一例を示す状態遷移フロー図である。
【図６】本発明の第３の実施形態に係るコンテンツ転送システムの構成を示すブロック図である。
【図７】第３の実施形態に係るコンテンツ転送処理の一例を示す状態遷移フロー図である。
【図８】第３の実施形態の変形例１に係るコンテンツ転送処理の一例を示す状態遷移フロー図である。
【図９】第３の実施形態の変形例２に係るコンテンツ転送処理の一例を示す状態遷移フロー図である。
【符号の説明】
【００９７】
１…旧車載機（第１の車載機）、
２…新車載機（第２の車載機）、
３…中継装置（中継手段）、
４…音楽ＣＤ、
５…コンテンツ暗号化部、
６、１３…フラッシュメモリ、
７…記憶部、
８…暗号／復号化部（暗号化鍵作成手段）、
９、１１…入出力部、
１０、１６…制御部、
１２…暗号／復号化部（鍵復号化手段）、
１４…識別情報取得部（識別情報取得手段）、
１５…記憶部（記憶手段）。
【図１】
0004764080.tif 000002
【図２】
0004764080.tif 000003
【図３】
0004764080.tif 000004
【図４】
0004764080.tif 000005
【図５】
0004764080.tif 000006
【図６】
0004764080.tif 000007
【図７】
0004764080.tif 000008
【図８】
0004764080.tif 000009
【図９】
0004764080.tif 000010